(57)【特許請求の範囲】
【請求項１】
扉から進退可能なようにラッチ部材が設けられ、該ラッチ部材が進退可能なラッチ受け孔を有するストライク板が扉枠に設けられ、前記ラッチ部材が前記ラッチ受け孔から後退又は反転した状態から前記扉の開動を助勢する開力軽減錠であって、
前記ストライク板に形成された切欠部と、
該切欠部に設けられた当接部材と、
前記扉から進退可能に設けられ、該扉からの突出時に前記当接部材に当接して前記扉を開方向へ助勢する押圧体と、
を備え、
前記当接部材は、前記ストライク板からの突出長を調整可能なように前記扉枠からの進退方向に沿ってスライド可能に構成されていることを特徴とする開力軽減錠。
【請求項２】
前記当接部材は、前記ストライク板の裏面側に設けられるトロヨケに軸状部材を介して取り付けられており、該軸状部材は、前記トロヨケと前記当接部材のうちのいずれか一方の部材に回動自在に支持されていると共にいずれか他方の部材に螺合しており、前記軸状部材の回動に伴い、前記当接部材が前記扉枠からの進退方向に沿ってスライドするように構成されていることを特徴とする請求項１に記載の開力軽減錠。
【請求項３】
前記切欠部は前記扉の開動方向側の縁部を切り欠くように形成され、前記押圧体の先端部は前記切欠部を通過して前記当接部材の近接離間方向に水平回転可能且つ前記当接部材に当接可能に設けられ、前記押圧体が前記当接部材の近接方向に水平回転する際に通過する前記切欠部の裏面側を覆うように切り欠きカバーが設けられていることを特徴とする請求項１又は２に記載の開力軽減錠。
【請求項４】
前記ストライク板からの前記当接部材の突出長を所定長に保持可能な突出長保持手段をさらに備えていることを特徴とする請求項１〜３のいずれか１の請求項に記載の開力軽減錠。
【請求項５】
前記当接部材は、該当接部材を支持する部材に回動自在の軸状部材を介して取り付けられており、該軸状部材の回動に伴い、前記当接部材が前記扉枠からの進退方向に沿ってスライドするように構成されており、前記突出長保持手段は、前記軸状部材を回動させて前記当接部材の突出長を調整した後に該軸状部材の回動を規制可能なように該軸状部材の表面側端部に係止可能に取り付けられることを特徴とする請求項４に記載の開力軽減錠。
【請求項６】
前記当接部材は、該当接部材を支持する部材に締結部材を介して取り付けられており、該締結部材の回動に伴い、前記当接部材が前記扉枠からの進退方向に沿ってスライドするように構成されており、前記突出長保持手段は、前記当接部材と該当接部材を支持する部材との間に介装されて該当接部材を表面側に付勢する付勢部材を備えていることを特徴とする請求項４に記載の開力軽減錠。
【発明の詳細な説明】
【技術分野】
【０００１】
本発明は、マンションの玄関等の気密な扉に設けられ、室内外に生じた気圧差に抗して扉の開動を助勢する開力軽減錠に関する。
【背景技術】
【０００２】
一般に、マンションや高気密化された住宅などの建物では、密閉状態で換気扇が運転されたりすると、室内の気圧が室外より低くなり、玄関扉の開動に大きな力が必要となり、特に、開動力の小さい子供や高齢者の場合、扉の開動が困難となる。
【０００３】
そこで、従来、扉の円滑な開放を実現可能とするため、室内外に生じる気圧差を解消する技術が各種提案されている。
【０００４】
例えば、特許文献１に開示される空錠連動ガラリは、ドアに小さな換気ドアを設け、空錠ハンドルのドア開閉動作に連動して換気ドアを開閉させ、閉ドア時の室内の負圧をなくして、円滑なドアの開放を可能にしている。
【０００５】
また、特許文献２に開示される建物等の扉用室内外気圧差解消装置は、錠の操作ハンドルを操作すると、錠側の昇降棒の移動に対応して室内外気圧差解消窓孔用の開閉板が移動し、室内外の気圧差を迅速に解消可能にしている。
【０００６】
さらに、特許文献３に開示される扉の構造は、扉の把手の近傍に設けられるレバーの揺動に連動して、扉の木口より突出した突出杆が扉枠に設けられた当接部に当接することにより、扉を開放方向に揺動させ、室内外の気圧差を解消し、円滑な扉の開放を可能にしている。
【先行技術文献】
【特許文献】
【０００７】
【特許文献１】特公平４−６６９８８号公報
【特許文献２】特開平１１−３２４５１９号公報
【特許文献３】特開２００４−２８５６５６号公報
【発明の開示】
【発明が解決しようとする課題】
【０００８】
しかしながら、上記した特許文献１及び２に開示されている従来の室内外気圧差解消構造は、ドアに窓孔を設けなければならないため、気密性やドアの見栄えを低下させる欠点があった。また、ドアには窓孔を開閉させる開閉板やこの開閉板を操作ハンドルの操作に連動させて作動させる昇降棒等の連動装置を設けなければならないため、機構が複雑となり、容易な取り付けができず、コストの増大する欠点があった。さらに、ドアに窓孔を設ければ、近年急増するサムターン回し等に対する防犯性を低下させる虞があった。さらにまた、窓孔を開閉する開閉板が表出することは、指の挟み込みの生じる虞があり、安全上好ましくなかった。
【０００９】
また、上記した特許文献３に開示されている従来の室内外気圧差解消構造は、扉を設置する現場の状況によって扉と扉枠との隙間が必ずしも一定でないため、突出杆が当接部に意図した通りに当接せず、うまく作用しないおそれがあった。
【００１０】
本発明は、上記した課題を解決すべくなされたものであり、機構の簡略化や防犯性及び安全性の向上を図ると共に、室内外に生じた気圧差に抗して扉の開動を確実に助勢することができる開力助勢錠を提供することを目的とするものである。
【課題を解決するための手段】
【００１１】
上記した目的を達成するため、本発明は、扉から進退可能なようにラッチ部材が設けられ、該ラッチ部材が進退可能なラッチ受け孔を有するストライク板が扉枠に設けられ、前記ラッチ部材が前記ラッチ受け孔から後退又は反転した状態から前記扉の開動を助勢する開力軽減錠であって、前記ストライク板に形成された切欠部と、該切欠部に設けられた当接部材と、前記扉から進退可能に設けられ、該扉からの突出時に前記当接部材に当接して前記扉を開方向へ助勢する押圧体と、を備え、前記当接部材は、前記ストライク板からの突出長を調整可能なように前記扉枠からの進退方向に沿ってスライド可能に構成されていることを特徴とする。
【００１２】
そして、本発明に係る開力軽減錠において、前記当接部材は、前記ストライク板の裏面側に設けられるトロヨケに軸状部材を介して取り付けられており、該軸状部材は、前記トロヨケと前記当接部材のうちのいずれか一方の部材に回動自在に支持されていると共にいずれか他方の部材に螺合しており、前記軸状部材の回動に伴い、前記当接部材が前記扉枠からの進退方向に沿ってスライドするように構成されているのが好ましい。
【００１３】
また、本発明に係る開力軽減錠において、前記切欠部は前記扉の開動方向側の縁部を切り欠くように形成され、前記押圧体の先端部は前記切欠部を通過して前記当接部材の近接離間方向に水平回転可能且つ前記当接部材に当接可能に設けられ、前記押圧体が前記当接部材の近接方向に水平回転する際に通過する前記切欠部の裏面側を覆うように切り欠きカバーが設けられていてもよい。
【００１４】
また、本発明に係る開力軽減錠において、前記ストライク板からの前記当接部材の突出長を所定長に保持可能な突出長保持手段をさらに備えていてもよい。
【００１５】
さらに、本発明に係る開力軽減錠において、前記当接部材は、該当接部材を支持する部材に回動自在の軸状部材を介して取り付けられており、該軸状部材の回動に伴い、前記当接部材が前記扉枠からの進退方向に沿ってスライドするように構成されており、前記突出長保持手段は、前記軸状部材を回動させて前記当接部材の突出長を調整した後に該軸状部材の回動を規制可能なように該軸状部材の表面側端部に係止可能に取り付けられていてもよい。
【００１６】
さらに、本発明に係る開力軽減錠において、前記当接部材は、該当接部材を支持する部材に締結部材を介して取り付けられており、該締結部材の回動に伴い、前記当接部材が前記扉枠からの進退方向に沿ってスライドするように構成されており、前記突出長保持手段は、前記当接部材と該当接部材を支持する部材との間に介装されて該当接部材を表面側に付勢する付勢部材を備えていてもよい。
【発明の効果】
【００１７】
本発明によれば、機構の簡略化や防犯性及び安全性の向上を図ることができると共に、室内外に生じた気圧差に抗して扉の開動を確実に助勢することができる等、種々の優れた効果を得ることができる。
【図面の簡単な説明】
【００１８】
【図１】本発明の第１の実施の形態に係る開力軽減錠の扉枠側の部材を示す正面図である。
【図２】本発明の第１の実施の形態に係る開力軽減錠の扉枠側の部材を示す側面図である。
【図３】図１のＡ−Ａ断面図である。
【図４】図１のＢ−Ｂ断面図である。
【図５】本発明の第１の実施の形態に係る開力軽減錠の扉枠側の部材においてストライク板を取り外した状態を示す正面図である。
【図６】本発明の第１の実施の形態に係る開力軽減錠の扉枠側の部材においてストライク板及び切り欠きカバーを取り外した状態を示す正面図である。
【図７】本発明の第１及び第２の実施の形態に係る開力軽減錠の扉側の部材を示す側断面図である。
【図８】本発明の第１及び第２の実施の形態に係る開力軽減錠の扉側の部材を示す平断面図である。
【図９】本発明の第２の実施の形態に係る開力軽減錠の扉枠側の部材を示す正面図である。
【図１０】図９のＣ−Ｃ断面図である。
【図１１】本発明の第２の実施の形態に係る開力軽減錠の扉枠側の部材を示す側面図である。
【図１２】本発明の第３の実施の形態に係る開力軽減錠の扉枠側の部材を示す正面図である。
【図１３】図１２のＤ−Ｄ断面図である。
【図１４】本発明の第３の実施の形態に係る開力軽減錠の扉枠側の部材を示す側面図である。
【発明を実施するための形態】
【００１９】
以下、図面を参照しつつ、本発明の第１の実施の形態に係る開力軽減錠について説明する。
【００２０】
本発明の第１の実施の形態に係る開力軽減錠１は、扉枠２の縦枠に取り付けられる扉枠側の部材３と、扉４に取り付けられる扉側の部材５と、を備えて構成されている。この場合、扉４は室外側に開動するように扉枠２に取り付けられており、扉枠２の縦枠には扉４の開動方向反対側に戸当り（図示省略）が形成されている。そして、この戸当りには扉４の閉鎖時に扉４との隙間をシールするパッキン（図示省略）が取り付けられており、室内側が負圧となると、扉４の内側部分がパッキンを介して戸当りに押し付けられるようになっている。
【００２１】
先ず、図１〜図６を参照しながら扉枠側の部材３について詳細に説明する。ここで、図１は扉枠側の部材３を示す正面図、図２は扉枠側の部材３を示す側面図、図３は図１のＡ−Ａ断面図、図４は図１のＢ−Ｂ断面図、図５は扉枠側の部材３においてストライク板を取り外した状態を示す正面図、図６は扉枠側の部材３においてストライク板及び切り欠きカバーを取り外した状態を示す正面図である。
【００２２】
扉枠側の部材３は、扉枠２の縦枠の木口に設けられるストライク板６と、ストライク板６の裏面側に設けられるトロヨケ７と、ストライク板６とトロヨケ７との間に介装される切り欠きカバー８と、を備えている。
【００２３】
ストライク板６は、図１に良く示されているように、正面視で上下に縦長の矩形板状を成し、その上下端部にはそれぞれ固定用の丸孔９が形成されている。ストライク板６の上下丸孔９の間には、上側に略矩形状のラッチ受け孔１０が形成され、下側に切欠部１１が形成されており、切欠部１１は扉４の開動方向側（図１では左側）の縁部を切り欠くように形成されている。
【００２４】
トロヨケ７は、図４及び図６に良く示されているように、正面視で上下に縦長の矩形状を成し、ラッチ受け孔１０と切欠部１１の一部分とを裏面側から覆うように凹状に屈曲して形成された箱部１２を備えており、箱部１２の下部には円形の通孔１３が穿設されている。また、トロヨケ７の上下端部にはそれぞれ平坦部１４が形成されており、各平坦部１４にはストライク板６の丸孔９に対応した位置に固定用の丸孔１５がそれぞれ形成されている。
【００２５】
ストライク板６の切欠部１１には当接部材１６が配設されており、当接部材１６は、図３に良く示されているように、軸状部材１７を介してトロヨケ７の箱部１２に回動自在に支持されている。当接部材１６は、箱部１２の底面１８に平行な内側の面１９と、該内側の面１９から直角に屈曲して外方に延出する面２０と、該延出する面２０から直角に屈曲してストライク板６に平行な外側の面２１と、延出する面２０と外側の面２１とにより形成される角部２２と、を備えており、当接部材１６の内側の面１９にはトロヨケ７の通孔１３に対応する位置にネジ孔２３が形成されている。
【００２６】
軸状部材１７の一方（図３では左側）の端部には周方向に円環状の溝２４が形成されていると共に該溝２４より中央寄りに円環状の外鍔部２５が形成されており、軸状部材１７の一方の端部を通孔１３に挿通させた状態で溝２４にワッシャー２６を嵌め込み、ワッシャー２６と外鍔部２５とで箱部１２の底面１８を挟持することにより、軸状部材１７はトロヨケ７に回動自在に支持される。また、軸状部材１７にはネジ孔２３に螺挿されるネジ部２７が形成されており、軸状部材１７の他方（図３では右側）の端部には、例えばプラスのドライバー等の治具が係合可能な操作部２８が形成されている。
【００２７】
図５に良く示されているように、切り欠きカバー８は、正面視で上下に縦長の矩形状を成し、その上下端部にはそれぞれストライク板９の丸孔９及びトロヨケ７の丸孔１５に対応した位置に横長円形状の長孔２９が形成されている。これにより、トロヨケ７と切り欠きカバー８とストライク板９とを重合し、丸孔９，１５及び長孔２９にビス３０を通して扉枠２に螺挿することにより、トロヨケ７と切り欠きカバー８とストライク板９とを扉枠２に固定することができる。また、この時、切り欠きカバー８に長孔２９が形成されているため、ストライク板６及びトロヨケ７に対する切り欠きカバー８の横方向の取り付け位置を調整することができる。
【００２８】
また、切り欠きカバー８には、ラッチ受け孔１０に対応した位置に矩形孔３１が穿設されており、上記したようにストライク板６及びトロヨケ７に対する切り欠きカバー８の横方向の取り付け位置を調整可能とするため、矩形孔３１はラッチ受け孔１０より大きくなるように形成されている。さらに、切り欠きカバー８の切欠部１１に対応した位置であって、扉４の開動方向側（図５では左側）には段差部３２が形成されており、これにより、扉４の開動時に後述する押圧体４７が干渉しないようになっている。また、切り欠きカバー８の切欠部１１に対応した位置の段差部３２に隣接した位置には、開口３３が形成されており、この開口３３を介して、扉４の開動方向反対側（図５では右側）の当接部材１６及び軸状部材１７の操作部２８が露出するようになっている。
【００２９】
このような構成を備えた扉枠側の部材３において、治具を開口３３に通して操作部２８に係合させて、軸状部材１７を、箱部１２の底面１８に支持された一方の端部を支点に、例えば正面視で時計回り方向に回転させると、軸状部材１７のネジ部２７に螺挿されている当接部材１６は箱部１２の底面１８から離間する方向(外方)にスライドし、当接部材１６の外側の面２１のストライク板６からの突出長を増大させることができる。また、これとは反対に、軸状部材１７を、例えば正面視で反時計回り方向に回転させると、当接部材１６は箱部１２の底面１８に近接する方向（内方）にスライドし、当接部材１６の外側の面２１のストライク板６からの突出長を減少させることができる。
【００３０】
次に、図７及び図８を参照しながら扉側の部材５について詳細に説明する。ここで、図７は扉側の部材５を示す側断面図、図８は扉側の部材５を示す平断面図である。
【００３１】
扉側の部材５は、ラッチ錠の錠箱４０を備えており、扉４の室外側及び室内側の面には、外側操作部材３８及び内側操作部材３９としてレバーハンドル（図示省略）がそれぞれ設けられている。ここで「ラッチ錠」とは、ラッチボルトや反転ラッチと称されるラッチ部材を有する錠前のことで、デッドボルトのみを有する本締り錠を除く。したがって、ラッチボルトのみを有する空錠、ラッチボルト又は反転ラッチのいずれかを有すると共に、デッドボルトを持つ錠前（例えば玄関錠）は、ここでのラッチ錠に含まれる。
【００３２】
ラッチ錠の錠箱４０には、外側操作部材３８又は内側操作部材３９の操作力によって回転する駆動カム４１と、その後端部が該駆動カム４１の駆動腕４２と係合し且つ該駆動腕４２の駆動力によって付勢手段４３の付勢力に抗してスライドする摺動制御体４４と、この摺動制御体４４の先端部にその内端部が連結手段４５を介して連結されていると共に角部に相当する中央部が錠箱４０の扉の内壁面側の一側壁に垂直軸４６を介して軸支されるスイング式押圧体４７と、がそれぞれ組み込まれており、押圧体４７の先端部４８は、扉４の木口に設けられる錠箱４０のフロント板４９から常に突出している。
【００３３】
駆動カム４１は、外側操作部材３８及び内側操作部材３９の軸部を連結する角軸５０が貫通する筒状部分５１と、筒状部分５１から下方斜め径方向に延出する長い駆動腕５２と、この駆動腕５２と略反対方向に延出する短い駆動腕５３と、を備えて構成されている。
【００３４】
また、ラッチ錠の錠箱４０には、フロント板４９から進退可能なようにラッチ部材としてのラッチボルト５４が設けられている。ラッチボルト５４は、係合先端部５５と、係合先端部５５の後端面に一体に設けられた棒状のラッチ杵５６と、ラッチ杵５６の後端部に連設された所定長の係合後端部５７と、係合後端部５７と錠箱４０の後壁５８との間に介装されたラッチバネ５９と、を備えて構成されている。
【００３５】
次に、本発明の第１の実施の形態に係る開力軽減錠の作用について説明する。
【００３６】
図７に示されているように、外側操作部材３８の操作力によりラッチボルト５４がフロント板４９から突出した状態において、外側操作部材３９を押し下げ、駆動カム４１を図７における時計方向へ回転させると、駆動カム４１の短い駆動腕５３がラッチボルト５４の後端部の係合部６０を押し付けるため、ラッチボルト５４は錠箱４０の後壁５８側へ後退する。
【００３７】
次いで、外側操作部材３８の操作力により駆動カム４１をさらに時計方向に回転させ続けると、駆動カム４１の長い駆動腕５２が摺動制御体４４の後端面を当接し、図８に良く示されているように、スイング式押圧体４７は、その後端部が中心線よりも外側にやや偏芯する位置で摺動制御体４４の先端部によって押される。これにより、押圧体４７は、上下の垂直軸４６を支点に水平回転し、押圧体４７の先端部４８は、切欠部１１（図１参照）を通過して当接部材１６の角部２２（図３参照）にテコの原理で当接する。このように押圧体４７の先端部４８が当接部材１６の角部２２に当接した際には反力が発生し、この反力は扉４を開放する方向へ作用し、扉４と扉枠２との間に隙間が生じ、室内外の通気が行われる。これによって、室内外の気圧差が解消され、扉４を容易に開動させることができるようになる。
【００３８】
この場合、扉枠側の部材３において、治具を開口３３に通して操作部２２に係合させて軸状部材１７を回動させることにより、扉４と扉枠２との隙間の大きさに応じて当接部材１６の外側の面２１のストライク板６からの突出長を調整することができるため、押圧体４の先端部４８を意図した通りに当接部材１６の角部２２に確実に当接させることができる。したがって、扉４を設置する現場の状況に拘わらず、室内外に生じた気圧差に抗して扉の開動を確実に助勢することができる。
【００３９】
なお、上記した実施の形態において、軸状部材１７は、トロヨケ７に回動自在に支持されていると共に当接部材１６に螺合しているが、本発明はこの場合に限定されるものではなく、例えば、軸状部材１７がトロヨケ７に螺合すると共に当接部材１６に回動自在に支持される等、軸状部材１７の回動に伴い当接部材１６が扉枠からの進退方向に沿ってスライドするように構成されている限り、各種変更が可能である。
【００４０】
次に、図面を参照しつつ、本発明の第２の実施の形態に係る開力軽減錠について説明する。ここで、図９は本発明の第２の実施の形態に係る開力軽減錠の扉枠側の部材を示す正面図、図１０は図９のＣ−Ｃ断面図、図１１は本発明の第２の実施の形態に係る開力軽減錠の扉枠側の部材を示す側面図である。なお、以下の説明において、扉側の部材については、上記した第１の実施の形態の扉側の部材５と同様であるため、図７及び図８を参照し、その詳細な説明については説明を省略する。
【００４１】
本実施の形態に係る扉枠側の部材７３は、扉枠の縦枠の木口に設けられるストライク板７６と、ストライク板７６の裏面側に設けられる可動板７８と、可動板７８の裏面側に設けられる受け部材７９と、可動板７８及び受け部材７９を覆うようにストライク板７６の裏面側に設けられるトロヨケ８０と、を備えて構成されている。
【００４２】
ストライク板７６は、正面視で上下に縦長の矩形状を成し、その左側部は直角に折り返され、上下端部７６ａ，７６ｂは傾斜するように裏面側に屈曲されている。そして、ストライク板７６には、上下にそれぞれ固定用の丸孔８１が形成され、上下丸孔８１の間に、上側から順に略矩形状のラッチ受け孔８２と切欠部８３とが形成されており、切欠部８３は扉４の開動方向側（図９では左側）の縁部を切り欠くように形成されている。
【００４３】
可動板７８は、正面視で上下に縦長の矩形状を成し、その左右両側部８４はそれぞれ直角に折り返されている。そして、可動板７８の上下端部には、ストライク板７６の丸孔８１に対応する位置に、それぞれ雌ネジが螺刻されたタップ孔８５が形成されており、ストライク板７６の表面側から皿ビス８６を丸孔８１に挿通してタップ孔８５に螺入することにより、ストライク板７６と可動板７８とが一体化されるようになっている。
【００４４】
可動板７８の上下タップ孔８５の間には、ストライク板７６のラッチ受け孔８２及び切欠部８３に対応する位置に、上側矩形孔８７及び下側矩形孔８８がそれぞれ形成されている。また、可動板７８の左右両側部８４の上下端部には、奥行き方向（図９の紙面垂直方向）に長い長孔９１がそれぞれ形成されており、長孔９１は側面視でタップ孔８５と干渉しない位置に配置されている。
【００４５】
受け部材７９は、短冊状の板状部材の上下両端部にそれぞれ形成されるフランジ部９２と、各フランジ部９２から内側に略直角に屈曲されて形成される上下側面９３と、上下側面９３の間に凹部９４を備えるように形成されるように底面９５と、を備えて構成されており、凹部９４は切欠部８３を裏面側から覆うように設けられている。
【００４６】
上下のフランジ９２には、それぞれ、中央に扁平な円柱形状の掛止部９６が突設されており、上下の掛止部９６が可動板７８の正しい位置の穴に嵌着することにより、可動板７８の所定位置に固定される。底面９５には、左側中央に通孔９７が形成されており、底面９５の右側上下両端角部には、それぞれ、裏面側に突出するように弾性部９８が形成されている。
【００４７】
ストライク板７６の切欠部８３には当接部材９９が配設されており、当接部材９９は、軸状部材１００を介して受け部材７９の底面９５に回動自在に支持されている。当接部材９９は、可動板７８の右側部８４に沿うように設けられる本体部１０１と、本体部１０１の奥側端部から底面９５に略平行を成すように設けられる底部１０２と、を備えて構成されている。本体部１０１には、上下２個のネジ孔１０３がそれぞれ左右水平方向に螺刻されており、底部１０２には、受け部材７９の通孔９７に対応する位置にビス孔１０４が形成されている。
【００４８】
また、本体部１０１の頂部の凹部には受けプレート１０６が嵌合しており、この受けプレート１０６には、本体部１０１のネジ孔１０３に対応する位置にビス孔１０７が形成されている。そして、このビス孔１０７から本体部１０１のネジ孔１０３に皿ビス１０８を螺入することにより、本体部１０１と受けプレート１０６とが一体化されるようになっている。
【００４９】
軸状部材１００には周方向に円環状の段差部１１８が形成されており、軸状部材１００の奥側（図１０では左側）端部を通孔９７に挿通させた状態で該端部にワッシャー１０９を嵌め込み、ワッシャー１０９と段差部１１８とで底面９５を挟持することにより、軸状部材１００は受け部材７９に回動自在に支持される。また、軸状部材１００にはビス孔１０４に螺挿されるネジ部１１０が形成されており、軸状部材１００の表面側（図１０では右側）端部には、例えばプラスのドライバー等の治具が係合可能な操作部１１１が形成されている。したがって、この操作部１１１に治具を係合させて軸状部材１１０を回動させることにより、扉と扉枠との隙間の大きさに応じて当接部材９９のストライク板７６からの突出長を所望な長さに調整することができる。
【００５０】
当接部材９９には、ストライク板７６からの当接部材９９の突出長を所定長に保持するための突出長保持手段１１２が取り付け可能となっている。この突出長保持手段１１２は、本体部１０１の表面を覆うように形成される正面部分１１３と、可動板７８の左側部８４に皿ビス１１９により固定される側面部分１１４と、を備えて構成されている。そして、正面部分１１３には、右端中央に切欠係止部１１５が形成されており、この切欠係止部１１５が軸状部材１１０の表面側端部に係止することにより、軸状部材１１０の回動が規制されるようになっている。
【００５１】
トロヨケ８０は、ストライク板７６のラッチ受け孔８２と切欠部８３の一部分とを裏面側から覆うように凹状に屈曲して形成された箱部１１６と、箱部１１６の周囲に鍔状に形成されたフランジ部１１７と、を備えている。箱部１１６の左右側面には、上下の対向する位置にそれぞれ軸孔（図示省略）が形成され、該軸孔及び長孔９１に挿通させた軸部１１８の端部をかしめることにより、可動板７８がトロヨケ８０に固定されるようになっている。
【００５２】
次に、本発明の第２の実施の形態に係る開力軽減錠の作用について説明する。
【００５３】
図７に示されているように、外側操作部材３８の操作力によりラッチボルト５４がフロント板４９から突出した状態において、外側操作部材３９を押し下げ、駆動カム４１を図７における時計方向へ回転させると、駆動カム４１の短い駆動腕５３がラッチボルト５４の後端部の係合部６０を押し付けるため、ラッチボルト５４は錠箱４０の後壁５８側へ後退する。
【００５４】
次いで、外側操作部材３８の操作力により駆動カム４１をさらに時計方向に回転させ続けると、駆動カム４１の長い駆動腕５２が摺動制御体４４の後端面を当接し、図８に示されているように、スイング式押圧体４７は、その後端部が中心線よりも外側にやや偏芯する位置で摺動制御体４４の先端部によって押される。これにより、押圧体４７は、上下の垂直軸４６を支点に水平回転し、押圧体４７の先端部４８は、切欠部８３を通過して当接部材９９の頂部の角部にテコの原理で当接する。このように押圧体４７の先端部４８が当接部材９９の角部に当接した際には反力が発生し、この反力は扉４を開放する方向へ作用し、扉と扉枠との間に隙間が生じ、室内外の通気が行われる。これによって、室内外の気圧差が解消され、扉を容易に開動させることができるようになる。
【００５５】
この場合、扉枠側の部材７３において、治具を操作部１１１に係合させて軸状部材１１０を回動させることにより、扉と扉枠との隙間の大きさに応じて当接部材９９のストライク板７６からの突出長を調整した後、突出長保持手段１１２を取り付けて切欠係止部１１５を軸状部材１１０の表面側端部に係止させることにより、軸状部材１１０の回動を規制することができる。これにより、扉を開閉操作している間に、一旦調整した当接部材９９のストライク板７６からの突出長が変化するのを防止することができ、長期間に渡って、押圧体４の先端部４８を意図した通りに当接部材９９に確実に当接させることができ、扉を設置する現場の状況に拘わらず、室内外に生じた気圧差に抗して扉の開動を確実に助勢することができる。
【００５６】
また、上記した構成を備えた開力軽減錠では、地震の発生により扉枠が変形して当接部材９９が扉と干渉した場合、当接部材９９が内側に押圧されるに従って、弾性部９８の裏面側への突出長が小さくなるように弾性部９８が弾性変形すると共に、ストライク板７６の上下端部７６ａ，７６ｂがトロヨケ８０のフランジ部１１７に沿って平坦になるまで当接部材９９と共に扉枠側に移動する。そのため、地震の発生により扉枠が変形した場合でも、当接部材９９がストライク板７６から突出せず、ストライク板７６が当接部材９９と共に扉枠側に移動することによって、当接部材９９やストライク板７６が扉と干渉するのを防止することができるため、扉を開放することができ、緊急時の避難を円滑且つ確実に行うことができるようになる。
【００５７】
なお、上記した第２の実施の形態の説明では、本発明を、地震の発生により扉枠が変形した場合でも扉を開閉可能な、所謂、耐震タイプの開力軽減錠に適用した場合について説明したが、これは単なる例示に過ぎず、耐震タイプ以外の開力軽減錠にも適用可能であることは言う迄もない。
【００５８】
次に、図面を参照しつつ、本発明の第３の実施の形態に係る開力軽減錠について説明する。ここで、図１２は本発明の第３の実施の形態に係る開力軽減錠の扉枠側の部材を示す正面図、図１３は図１２のＤ−Ｄ断面図、図１４は本発明の第３の実施の形態に係る開力軽減錠の扉枠側の部材を示す側面図である。なお、以下の説明において、扉側の部材については、上記した第１の実施の形態の扉側の部材５と同様であるため、図７及び図８を参照し、その詳細な説明については説明を省略する。また、扉枠側の部材の構成のうち、上記した第２の実施の形態と同様の構成については、図１２〜図１４中、図９〜図１１と同一の符号を付し、その詳細な説明は省略する。
【００５９】
本実施の形態に係る扉枠側の部材１２０は、扉枠の縦枠の木口に設けられるストライク板７６と、ストライク板７６の裏面側に設けられる可動板７８と、可動板７８の裏面側に設けられる受け部材１２１と、可動板７８及び受け部材１２１を覆うようにストライク板７６の裏面側に設けられるトロヨケ８０と、を備えて構成されている。
【００６０】
受け部材１２１は、短冊状の板状部材の上下両端部にそれぞれ形成されるフランジ部１２２と、各フランジ部１２２から内側に略直角に屈曲されて形成される上下側片１２３と、上下側面１２３の間に凹部１２４を備えるように形成されるように底面１２５と、を備えて構成されており、凹部１２４は切欠部８３を裏面側から覆うように設けられている。
【００６１】
上下のフランジ１２２には、それぞれ、中央に扁平な円柱形状の掛止部１２６が突設されており、上下の掛止部１２６が可動板７８の正しい位置の穴に嵌着することにより、可動板７８の所定位置に固定される。また、底面１２５には、左側中央にタップ孔１２７が形成されており、タップ孔１２７には雌ネジが螺刻されている。
【００６２】
ストライク板７６の切欠部８３には当接部材１２８が配設されており、当接部材１２８は、可動板７８の右側部８４に沿うように設けられる本体部１２９と、本体部１２９の奥側端部から底面１２５に略平行を成すように設けられる底部１３０と、を備えて構成されている。
【００６３】
本体部１２９には、上下２個のネジ孔１３１がそれぞれ左右水平方向に螺刻され、本体部１２９の頂部の凹部には受けプレート１３３が嵌合している。この受けプレート１３３には、本体部１２９のネジ孔１３１に対応する位置にビス孔１３４が形成されており、このビス孔１３４から本体部１２９のネジ孔１３１に皿ビス１３５を螺入することにより、本体部１２９と受けプレート１３３とが一体化されるようになっている。
【００６４】
底部１３０には、中央の受け部材１２１のタップ孔１２７に対応する位置にザグリ穴１３６が形成されており、ザグリ穴１３６及びタップ孔１２７に締結部材１３７を螺入し、締結部材１３７の先端にかしめ等により抜け止め部１３８を形成することにより、当接部材１２８が受け部材１２１の底面１２５に固定される。また、締結部材１３７の表面側（図１３では右側）端部には、例えばプラスのドライバー等の治具が係合可能な操作部１３９が形成されており、この操作部１３９に治具を係合させて締結部材１３７を回動させることにより、扉と扉枠との隙間の大きさに応じて当接部材１２８のストライク板７６からの突出長を所望な長さに調整することができる。
【００６５】
また、底部３０には、ザグリ穴１３６の上下にそれぞれ凹部１４０が形成されており、各凹部１４０には、突出長保持手段としての付勢部材であるコイルバネ１４１が、それぞれ、受け部材１２１の底面１２５と当接部材１２８との間に介装された状態で収容されている。
【００６６】
上記した構成を備えた扉枠側の部材１２０では、当接部材１２８がコイルバネ１４１により表面側に付勢されることにより、締結部材１３７の回動が規制されるため、扉と扉枠との隙間の大きさに応じて一旦調整された当接部材１２８のストライク板７６からの突出長が変化するのを防止することができる。したがって、長期間に渡って、押圧体４の先端部４８を意図した通りに当接部材１２８に確実に当接させることができ、扉を設置する現場の状況に拘わらず、室内外に生じた気圧差に抗して扉の開動を確実に助勢することができる。
【００６７】
なお、上記した第３の実施の形態の説明では、本発明を、地震の発生により扉枠が変形した場合でも扉を開閉可能な、所謂、耐震タイプの開力軽減錠に適用した場合について説明したが、これは単なる例示に過ぎず、耐震タイプ以外の開力軽減錠にも適用可能であることは言う迄もない。
【００６８】
また、上記した第１〜第３の実施の形態では、当接部材１６に当接する押圧体として、当接時に垂直軸４６を支点に水平回転するスイング式押圧体４７を使用した場合について説明したが、これは単なる例示に過ぎず、前記押圧体としては、例えば、特開２００４−２８５６５６号公報や特開２００５−１２７０４４号公報に開示されているように、先端部の側面に斜面を有して略くさび状に形成されて扉４の木口から進退自在に設けられる公知な往復動タイプの押圧体を使用する等、各種変更が可能である。なお、この往復動タイプの押圧体を使用した場合には、スイング式押圧体４７の場合のように扉４の開動方向側のストライク板６の縁部を大きく切り欠く必要がないため、切り欠きカバー８は不要となる。
【符号の説明】
【００６９】
１          開力軽減錠
２          扉枠
４          扉
６          ストライク板
７          トロヨケ
８          切り欠きカバー
１０        ラッチ受け孔
１１        切欠部
１６        当接部材
１７        軸状部材
４７        押圧体
５４        ラッチボルト（ラッチ部材）
７６        ストライク板
９９        当接部材
１００      軸状部材
１１２      突出長保持手段
１２１      受け部材（当接部材を支持する部材）
１２８      当接部材
１４１      コイルバネ（付勢部材）
【図１】
0005894456.tif 000002
【図２】
0005894456.tif 000003
【図３】
0005894456.tif 000004
【図４】
0005894456.tif 000005
【図５】
0005894456.tif 000006
【図７】
0005894456.tif 000007
【図８】
0005894456.tif 000008
【図６】
0005894456.tif 000009
【図９】
0005894456.tif 000010
【図１０】
0005894456.tif 000011
【図１１】
0005894456.tif 000012
【図１２】
0005894456.tif 000013
【図１３】
0005894456.tif 000014
【図１４】
0005894456.tif 000015